(57)【要約】【課題】シートが搬送される湾曲した搬送路の湾曲内側を形成するガイド部材と、当該搬送路へシートを給送する給送ローラとの位置ずれを低減することができる搬送装置を提供する。【解決手段】当該搬送装置は、樹脂製材料で一体成形されたベース部７０と、ベース部７０の上部に支持されており、記録用紙１２を搬送する搬送ローラ６０と、記録用紙１２を支持する給送トレイ２０と、ベース部７０の後上部７４の下部に支持されており、給送トレイ２０に支持された記録用紙１２の上面に当接して当該記録用紙１２を搬送ローラ６０へ向けて給送する給送ローラ２５を有する給送部１６と、を備える。ベース部７０の後上部７４には、給送部１６によって給送された記録用紙１２を搬送ローラ６０へ案内する湾曲した湾曲部３３の湾曲内側を形成する内側ガイド部１９が一体成形されている。【選択図】図３
2014156328.tif 000002
【特許請求の範囲】
【請求項１】
樹脂製材料で一体成形されたベース部と、
上記ベース部の上部に支持されており、シートを搬送する搬送部と、
シートを支持するトレイと、
上記ベース部の下部に支持されており、上記トレイに支持されたシートの上面に当接して当該シートを上記搬送部へ向けて給送する給送ローラを有する給送部と、を備え、
上記ベース部は、上記給送部によって給送されたシートを上記搬送部へ案内する湾曲した湾曲路の湾曲内側を形成する内側ガイド部を構成する搬送装置。
【請求項２】
上記ベース部の上部に支持された金属製の第１フレームを更に備え、
上記搬送部は、上記第１フレームに支持されている請求項１に記載の搬送装置。
【請求項３】
上記ベース部及び上記第１フレームは、締結部によって上下方向に締結されている請求項２に記載の搬送装置。
【請求項４】
上記搬送部よりもシートの搬送向きの下流側において、上記第１フレームによって支持されており、シートを搬送する排出部と、
上記第１フレームによって支持されており、搬送されるシートに画像を記録する記録部を支持する第２フレームと、を更に備える請求項２または３に記載の搬送装置。
【請求項５】
正転及び逆転するモータと、
上記モータの正転または逆転の一方の駆動力を、上記湾曲路を案内されてきたシートを搬送する駆動力として上記搬送部に伝達し、上記モータの正転または逆転の他方の駆動力を、上記トレイに支持されたシートを上記湾曲路へ給送する駆動力として上記給送ローラに伝達する伝達部と、を更に備える請求項１から４のいずれかに記載の搬送装置。
【請求項６】
上記内側ガイド部と対向して配置されており、上記湾曲路の湾曲外側を形成する外側ガイド部を更に備え、
上記内側ガイド部は、シートの搬送向きと直交し且つシートの表面に沿った幅方向において、中央側が外側よりも上記外側ガイド部側へ突出している請求項１から５のいずれかに記載の搬送装置。
【請求項７】
上記内側ガイド部と対向して配置されており、上記湾曲路の湾曲外側を形成する外側ガイド部を更に備え、
上記外側ガイド部は、その少なくとも一部が上記ベース部によって支持されている請求項１から５のいずれかに記載の搬送装置。
【発明の詳細な説明】
【技術分野】
【０００１】
本発明は、シートを搬送路に沿って搬送する搬送装置に関する。
【背景技術】
【０００２】
内部に形成された搬送路に沿ってシートを搬送可能な搬送装置が知られている。このような搬送装置としては、例えばプリンタや複合機などの画像記録装置がある。搬送装置は、シートを挟持して搬送するローラ対や、トレイに載置されたシートをローラ対へ向けて給送する給送ローラや、シートが搬送される搬送路を形成するガイド部材などを備えている。ローラ対や給送ローラやガイド部材は、搬送装置のフレームに取り付けられている。
【０００３】
近年の搬送装置に多く見られる構成として、トレイ及び給送ローラが装置の底部に配置され、ローラ対がトレイよりも上部に配置されており、搬送路がトレイからＵターンして湾曲しつつローラ対へ延びている構成がある。このような構成の画像形成装置が特許文献１に開示されている。特許文献１に開示された画像記録装置では、金属製のインナーフレームに湾曲した搬送路の湾曲内側を形成するガイド部材を配置し、インナーフレームとは別のフレームである金属製のメインフレームに給送ローラが配置されている。
【先行技術文献】
【特許文献】
【０００４】
【特許文献１】特開２０１２−７１５６４号公報
【発明の概要】
【発明が解決しようとする課題】
【０００５】
しかしながら、上述のような構成の搬送装置の場合、以下のような問題点がある。つまり、給送ローラから給送されたシートの先端部がローラ対に挟持され、当該シートの後端部が給送ローラとトレイとの間に挟持された状態において、ローラ対の回転によってシートの先端部が引っ張られる状態となると、シートがインナーフレームに配置されており搬送路の湾曲内側を形成するガイド部材に押しつけられて、当該ガイド部材に貼り付いた状態となる。すると、シートに押しつけられたガイド部材ががたついてしまい、メインフレームに配置された給送ローラとの間に、位置ずれを起こしてしまうおそれがある。
【０００６】
本発明は、上記問題に鑑みてなされたものであり、その目的は、シートが搬送される湾曲した搬送路の湾曲内側を形成するガイド部材と、当該搬送路へシートを給送する給送ローラとの位置ずれを低減することができる搬送装置を提供することにある。
【課題を解決するための手段】
【０００７】
(1)  本発明に係る搬送装置は、樹脂製材料で一体成形されたベース部と、上記ベース部の上部に支持されており、シートを搬送する搬送部と、シートを支持するトレイと、上記ベース部の下部に支持されており、上記トレイに支持されたシートの上面に当接して当該シートを上記搬送部へ向けて給送する給送ローラを有する給送部と、を備える。上記ベース部は、上記給送部によって給送されたシートを上記搬送部へ案内する湾曲した湾曲路の湾曲内側を形成する内側ガイド部を構成する。
【０００８】
本構成によれば、ベース部は樹脂で構成されている。そのため、装置のコストのアップを低減することができる。
【０００９】
また、本構成によれば、ベース部が内側ガイド部を構成している。つまり、内側ガイド部は、ベース部と一体成形されている。そのため、湾曲路を搬送されるシートの搬送向きの先端部が搬送部に到達し、シートの搬送向きの後端部が給送ローラに当接された状態において、シートが搬送部によって搬送向きに引っ張られて、シートが内側ガイド部に押しつけられた場合でも、内側ガイド部のがたつきを最小限に抑えることができる。また、内側ガイド部を構成しているベース部には、給送部が支持されている。そのため、内側ガイド部ががたついたとしても、内側ガイド部と給送ローラとの相対距離のずれを、内側ガイド部と給送ローラとの寸法公差以内に抑えることができる。以上より、本構成によれば、ベース部を樹脂製にすることで装置のコストを低く抑えつつも、内側ガイド部によって形成される湾曲路を搬送されるシートの搬送精度を良好に維持することができる。
【００１０】
(2)  本発明に係る搬送装置は、上記ベース部の上部に支持された金属製の第１フレームを更に備える。上記搬送部は、上記第１フレームに支持されている。
【００１１】
本構成によれば、搬送部は金属製の第１フレームに取り付けられているため、搬送部の位置精度を良好に維持することができる。
【００１２】
(3)  上記ベース部及び上記第１フレームは、締結部によって上下方向に締結されている。
【００１３】
本構成においては、ベース部及び第１フレームが締結手段によって上下方向に締結されているために、シートの上下方向への移動の可能性を低くすることができる。
【００１４】
(4)  本発明に係る搬送装置は、上記搬送部よりもシートの搬送向きの下流側において、上記第１フレームによって支持されており、シートを搬送する排出部と、上記第１フレームによって支持されており、搬送されるシートに画像を記録する記録部を支持する第２フレームと、を更に備える。
【００１５】
本構成によれば、排出部が金属製の第１フレームに支持され且つ記録部が第２フレームを介して金属製の第１フレームに支持されているため、排出部及び記録部の位置精度を良好に維持することができる。その結果、排出部によって搬送されるシートの搬送精度や、記録部によってシートに記録される画質を良好に維持することができる。
【００１６】
(5)  本発明に係る搬送装置は、正転及び逆転するモータと、上記モータの正転または逆転の一方の駆動力を、上記湾曲路を案内されてきたシートを搬送する駆動力として上記搬送部に伝達し、上記モータの正転または逆転の他方の駆動力を、上記トレイに支持されたシートを上記湾曲路へ給送する駆動力として上記給送ローラに伝達する伝達部と、を更に備える。
【００１７】
本構成によれば、搬送部が湾曲路を案内されてきたシートを搬送している際に、給送ローラはトレイに支持されたシートを湾曲路へ給送しない。そのため、湾曲路を案内されるシートの搬送向きの先端部が搬送部に到達し且つシートの搬送向きの後端部が給送ローラと当接された状態において、シートが搬送部によって搬送向きに引っ張られる状況が生じやすい。つまり、本構成は、本発明を実現するための好適な構成である。また、本構成によれば、搬送部と給送部とを共通のモータで駆動することができるため、装置のコストを下げることができる。
【００１８】
(6)  本発明に係る搬送装置は、上記内側ガイド部と対向して配置されており、上記湾曲路の湾曲外側を形成する外側ガイド部を更に備える。上記内側ガイド部におけるシート側は、シートの搬送向きと直交し且つシートの表面に沿った幅方向において、中央側が外側よりも上記外側ガイド部側へ突出している。
【００１９】
本構成によれば、シートが搬送部によって搬送向きに引っ張られて内側ガイド部に貼り付く状況が生じた場合でも、当該シートは、突出が小さい内側ガイド部の幅方向の外側において貼り付きにくい。つまり、シートが内側ガイド部へ貼り付く領域を小さくすることができる。その結果、内側ガイド部のがたつきを低減することができる。
【００２０】
(7)  本発明に係る搬送装置は、上記内側ガイド部と対向して配置されており、上記湾曲路の湾曲外側を形成する外側ガイド部を更に備える。上記外側ガイド部は、その少なくとも一部が上記ベース部によって支持されている。
【００２１】
本構成によれば、外側ガイド部の少なくとも一部がベース部によって支持されているため、外側ガイド部を位置決めすることができる。
【発明の効果】
【００２２】
本発明によれば、シートが搬送される湾曲路の湾曲内側を形成する内側ガイド部と、当該湾曲路へシートを給送する給送ローラとの位置ずれを低減することができる。
【図面の簡単な説明】
【００２３】
【図１】図１は、本発明の実施形態の一例である複合機１０の斜視図である。
【図２】図２は、プリンタ部１１の内部構造を模式的に示す縦断面図である。
【図３】図３（Ａ）は、ベース部７０及びサイドフレーム５５の斜視図であり、図３（Ｂ）は、ベース部７０の斜視図である。
【図４】図４は、ベース部７０を下側から見た斜視図である。
【図５】図５は、ベース部７０及び給送部１６の背面図である。
【図６】図６は、外側ガイド部１８が第２状態のときのベース部７０の後側及びその周辺を示す斜視図である。
【図７】図７は、外側ガイド部１８が第１状態のときのサイドフレーム５５及びガイドレール５６、５７並びにそれらの周辺を示す斜視図である。
【図８】図８は、サイドフレーム５５とガイドレール５６とプラテン４２とそれらの周辺を示す斜視図である。
【図９】図９は、ベース部７０とガイドレール５６、５７と記録部２４とそれらの周辺を示す斜視図である。
【図１０】図１０は、メンテナンスベース９５と伝達部９０と給送部１６とを示す斜視図である。
【発明を実施するための形態】
【００２４】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。以下の説明においては、複合機１０が使用可能に設置された状態（図１の状態）を基準として上下方向７が定義され、開口１３が設けられている側を手前側（正面）として前後方向８が定義され、複合機１０を手前側（正面）から見て左右方向９が定義される。
【００２５】
［複合機１０の全体構造］
図１に示されるように、複合機１０は、薄型の直方体に概ね形成されており、下部にプリンタ部１１が設けられている。複合機１０は、ファクシミリ機能及びプリント機能などの各種の機能を有している。複合機１０は、プリント機能として、インクジェット方式で記録用紙１２（図２参照）の片面に画像を記録する機能を有している。なお、複合機１０は、記録用紙１２の両面に画像を記録するものであってもよい。また、複合機１０は、インクジェット方式以外の方式、例えば電子写真方式で記録用紙１２に画像を記録するものであってもよい。
【００２６】
［給送トレイ２０］
図１に示されるように、プリンタ部１１の正面には、開口１３が形成されている。給送トレイ２０（本発明のトレイの一例）が、前後方向８に移動することによって、開口１３を介してプリンタ部１１に挿入及び脱抜可能である。給送トレイ２０は、上側が開放された箱形状の部材である。図２に示されるように、給送トレイ２０の底板２２には、記録用紙１２が重ねられた状態で支持される。給送トレイ２０の前側且つ上側には、排出トレイ２１が支持されている。排出トレイ２１は、給送トレイ２０と一体に前後方向８に移動する。排出トレイ２１の上面には、後述する記録部２４によって画像を記録された記録用紙１２が排出される。
【００２７】
［給送部１６］
図２に示されるように、給送部１６は、プリンタ部１１に挿入された状態の給送トレイ２０の上方であって後述する記録部２４の下方に設けられている。図２及び図１０に示されるように、給送部１６は、給送ローラ２５、給送アーム２６、及び支軸２８を備えている。給送ローラ２５は、給送アーム２６の先端部で軸支されている。給送アーム２６は、基端部に設けられ且つ左右方向９に延びた支軸２８を中心として、矢印２９の方向に回動する。これにより、給送ローラ２５は、給送トレイ２０または当該給送トレイ２０に支持された記録用紙１２の上面に対して、当接及び離間が可能である。
【００２８】
給送ローラ２５は、後述する伝達部９０（図１０参照）によって、搬送用モータ５３（本発明のモータの一例、図６参照）の駆動力が伝達されて回転する。これにより、給送トレイ２０の底板２２に載置された記録用紙１２のうち、給送ローラ２５と当接している最も上側の記録用紙１２が、後述する搬送路６５及び当該搬送路６５に配置された後述する搬送ローラ対５９へ向けて給送される。
【００２９】
［搬送路６５］
図２に示されるように、給送トレイ２０の後端部から搬送路６５が延出されている。搬送路６５は、湾曲部３３（本発明の湾曲路の一例）と直線部３４とを備える。湾曲部３３は、後側を湾曲外側とし前側を湾曲内側として湾曲しつつ延びている。直線部３４は、前後方向８に延びている。
【００３０】
湾曲部３３は、所定間隔を隔てて互いに対向する外側ガイド部１８と内側ガイド部１９とによって形成されている。外側ガイド部１８は、湾曲部３３の湾曲外側を形成している。内側ガイド部１９は、湾曲部３３の湾曲内側を形成している。各ガイド部１８、１９は、図２における紙面と直交する方向である左右方向９に延設されている。以上より、各ガイド部１８、１９は、搬送路６５の少なくとも一部を形成している。なお、後述するように、内側ガイド部１９は、ベース部７０と一体成形されている（図３参照）。
【００３１】
直線部３４は、記録部２４が配置されている位置において所定間隔を隔てて互いに対向する記録部２４とプラテン４２とによって形成されている。
【００３２】
給送トレイ２０に支持された記録用紙１２は、給送ローラ２５によって湾曲部３３を下方から上方へＵターンするように搬送されて後述する搬送ローラ対５９に到達する。つまり、湾曲部３３は、給送部１６によって給送された記録用紙１２を搬送ローラ対５９へ案内する。搬送ローラ対５９に挟持された記録用紙１２は、直線部３４を記録部２４へ向けて前後方向８に搬送される。記録部２４の直下に到達した記録用紙１２は、記録部２４により画像を記録される。画像記録が行われた記録用紙１２は、直線部３４を前後方向８に搬送されて排出トレイ２１に排出される。以上より、記録用紙１２は、図２に一点鎖線の矢印で示される搬送向き１５に沿って搬送される。
【００３３】
図６に示されるように、内側ガイド部１９の後面には、複数のリブ８０が形成されている。各リブ８０は、図７に示される状態における外側ガイド部１８へ向けて突出している。また、複数のリブ８０は、左右方向９において間隔を空けて形成されている。また、各リブ８０は、湾曲部３３に沿って湾曲して延設されている。給送部１６によって湾曲部３３へ給送された記録用紙１２は、複数のリブ８０と当接しつつ、湾曲部３３を案内される。
【００３４】
各リブ８０は、搬送向き１５と直交し且つ湾曲部３３を案内される記録用紙１２の表面に沿った方向である左右方向９（本発明の幅方向の一例）において、湾曲部３３の中央部に形成された複数の第１リブ８１と、湾曲部３３の左右両端部に形成された複数の第２リブ８２とで構成されている。各第１リブ８１の外側ガイド部１８へ向けての突出長は、各第２リブ８２の外側ガイド部１８へ向けての突出長よりも長い。換言すると、内側ガイド部１９は、左右方向９において、中央側が外側よりも外側ガイド部１８側へ突出している。
【００３５】
図６に示されるように、外側ガイド部１８が図７に示される状態のときにおける外側ガイド部１８の前面には、複数のリブ８３が形成されている。外側ガイド部１８が図７に示される状態において、各リブ８３は、対向する内側ガイド部１９へ向けて突出している。また、複数のリブ８３は、左右方向９において間隔を空けて形成されている。また、各リブ８３は、湾曲部３３に沿って湾曲して延設されている。給送部１６によって湾曲部３３へ給送された記録用紙１２は、複数のリブ８３と当接しつつ、湾曲部３３を案内される。
【００３６】
図２及び図７に示されるように、外側ガイド部１８の下部には、軸４８が形成されている。本実施形態において、軸４８は、外側ガイド部１８の下部の左右両端から外側に突出した突起である。軸４８は、プリンタ部１１の下部を形成する後述するベース部７０（図３及び図６参照）に形成された孔（不図示）に挿通される。つまり、軸４８は、ベース部７０によって回転可能に支持される。なお、本実施形態において、外側ガイド部１８は、軸４８の部分のみがベース部７０に支持されているが、軸４８に加えて他の部分（例えば、外側ガイド部１８の左面及び右面）がベース部７０に支持されていてもよい。つまり、外側ガイド部１８は、その少なくとも一部がベース部７０によって支持されている。
【００３７】
なお、プリンタ部１１は、ベース部７０に外装カバー１４（図１参照）が取り付けられることによって形成される。
【００３８】
外側ガイド部１８は、下部に形成された軸４８を中心として、矢印６６（図２参照）の方向に回動可能に構成されている。外側ガイド部１８は、図２に実線で示され且つ図７に示される位置に位置する第１状態のときに湾曲部３３の湾曲外側を形成し、図２に破線で示され且つ図６に示される位置に位置する第２状態のときに湾曲部３３を外部に露出させる。複合機１０のユーザは、外側ガイド部１８を第１状態から第２状態に状態変化させることにより、湾曲部３３に詰まった記録用紙１２を取り出すことができる。
【００３９】
なお、外側ガイド部１８は、回動以外によって状態変化してもよい。例えば、外側ガイド部１８は、プリンタ部１１に対して着脱可能に構成されていてもよい。この場合、外側ガイド部１８は、プリンタ部１１に取り付けられ且つ湾曲部３３の湾曲外側を形成する第１状態と、プリンタ部１１から取り外され且つ湾曲部３３を外部に露出させる第２状態との間で状態変化する。
【００４０】
［記録部２４］
図２に示されるように、記録部２４は、直線部３４の上側に設けられている。記録部２４の下側且つ記録部２４と対向する位置には、プラテン４２が設けられている。図８に示されるように、プラテン４２は、左右方向９に間隔を空けて複数配置され且つ前後方向８に延接されたリブ７６を備え、当該リブ７６の上端によって搬送路６５の直線部３４を搬送される記録用紙１２を支持する部材である。図２、図６、図７、及び図９に示されるように、記録部２４は、キャリッジ４０とキャリッジ４０に搭載された記録ヘッド３８とを備えている。
【００４１】
キャリッジ４０は、前後方向８に間隔を空けて配置された２つのガイドレール５６、５７（本発明の第２フレームの一例）によって左右方向９へ往復移動可能に支持されている。つまり、ガイドレール５６、５７は、記録部２４を支持している。具体的には、キャリッジ４０は、２つのガイドレール５６、５７を跨ぐようにして配置されている。ガイドレール５７の上面には、公知のベルト機構が配置されている。図９に示されるように、ベルト機構は、ガイドレール５７の上面の左右両端部に配置されたプーリ８４、８５と、当該プーリ８４、８５に架け渡されたベルト８６とを備えている。ベルト８６は、キャリッジ４０とキャリッジ４０に駆動力を付与するキャリッジ駆動用モータ８７とに連結されている。キャリッジ駆動用モータ８７が駆動すると、左右方向９への駆動力がベルト機構を介してキャリッジ４０に伝達される。これにより、キャリッジ４０は、左右方向９へ往復移動する。
【００４２】
なお、図６及び図７に示されるように、ガイドレール５６、５７は、後述するように一対のサイドフレーム５５によって支持されている。
【００４３】
図２、図６、図７、及び図９に示されるように、記録ヘッド３８は、キャリッジ４０に搭載されている。記録ヘッド３８には、インクカートリッジ（不図示）からインクが供給される。図２に示されるように、記録ヘッド３８の下面には、ノズル３９が形成されている。キャリッジ４０が左右方向９に移動しているときに、記録ヘッド３８は、ノズル３９からインク滴をプラテン４２に向けて吐出する。これにより、搬送向き１５に搬送されてプラテン４２に支持された記録用紙１２に画像が記録される。
【００４４】
［搬送ローラ対５９及び排出ローラ対４４］
図２に示されるように、搬送路６５の直線部３４における記録部２４の記録ヘッド３８よりも搬送向き１５の上流側には、搬送ローラ対５９が配置されている。直線部３４における記録部２４の記録ヘッド３８よりも搬送向き１５の下流側には、排出ローラ対４４が配置されている。
【００４５】
搬送ローラ対５９は、直線部３４の下側に配置された搬送ローラ６０（本発明の搬送部の一例）と、直線部３４の上側に搬送ローラ６０と対向して配置されたピンチローラ６１とを備えている。搬送ローラ６０は、左右方向９に延びた中空且つ円柱状の部材である。図８に示されるように、ピンチローラ６１は、左右方向９に間隔を空けて複数設けられている。ピンチローラ６１は、弾性部材（不図示）によって搬送ローラ６０に押圧されている。
【００４６】
図２に示されるように、排出ローラ対４４は、直線部３４の下側に配置された排出ローラ６２（本発明の排出部の一例）と、直線部３４の上側に排出ローラ６２と対向して配置された拍車６３とを備えている。図８に示されるように、排出ローラ６２は、左右方向９に延びた軸６４と、左右方向９に間隔を空けて軸６４を覆うように取り付けられたローラ部５８とを備えている。拍車６３は、左右方向９に間隔を空けて複数設けられている。各拍車６３は、排出ローラ６２のローラ部５８と対向する位置に設けられている。拍車６３は、弾性部材（不図示）によって排出ローラ６２のローラ部５８に押圧されている。
【００４７】
搬送ローラ６０は、正転及び逆転する搬送用モータ５３（図６参照）から駆動力が伝達されて回転する。搬送ローラ対５９に記録用紙１２が挟持されている状態で、搬送ローラ６０が搬送用モータ５３から正転の駆動力を付与されて回転すると、当該記録用紙１２は、搬送ローラ対５９によってプラテン４２上に、つまり搬送向き１５に搬送される。一方、搬送ローラ６０が搬送用モータ５３から逆転の駆動力を付与されると、搬送ローラ６０は、搬送用モータ５３から正転の駆動力を付与されたときは逆向き、つまり記録用紙１２を搬送向き１５とは逆向きに搬送する回転向きに回転する。
【００４８】
また、排出ローラ６２と搬送ローラ６０との間には、不図示のベルトが架け渡されている。これにより、搬送ローラ６０の駆動力が排出ローラ６２に伝達される。排出ローラ対４４に記録用紙１２が挟持されている状態で、排出ローラ６２が搬送用モータ５３から搬送ローラ６０を介して正転の駆動力を付与されて回転すると、当該記録用紙１２は、排出ローラ対４４によって搬送向き１５に搬送される。これにより、記録用紙１２は、排出トレイ２１上に排出される。
【００４９】
なお、搬送ローラ６０及び排出ローラ６２は、後述するように一対のサイドフレーム５５によって支持されている。また、搬送用モータ５３から搬送ローラ６０への駆動力の伝達については、後述する。
【００５０】
［ベース部７０］
図３に示されるように、ベース部７０は、プリンタ部１１の下部を構成するフレームである。ベース部７０は、ＰＢＴ／ＡＢＳ樹脂などの樹脂製材料によって一体成形されている。ベース部７０は、前上部７１と、前上部７１の右側に前上部７１と接合された右側部７２と、前上部７１の左側に前上部７１と接合された左側部７３と、右側部７２の前下端部と接合され左側部７３の前下端部と接合された前下部６８と、右側部７２の後下端部と接合され左側部７３の後下端部と接合された後下部６９と、前上部７１の後方に前上部７１と間隔を空けて配置された後上部７４とを備えている。後上部７４は、右端を右側部７２と接合され、左端を左側部７３と接合されている。
【００５１】
図３（Ａ）に示されるように、給送トレイ２０が挿入及び脱抜される開口１３は、前上部７１によって上側を構成され、右側部７２によって右側を構成され、左側部７３によって左側を構成され、前下部６８によって下側を構成されている。
【００５２】
図４に示されるように、後上部７４の下側には、多数のリブが形成されている。そして、当該リブのいくつかには、左右方向９への開口７５が形成されている。当該開口７５には、給送部１６の支軸２８が挿通されている。これにより、支軸２８は、ベース部７０の後上部７４の下側に、回転可能に支持されている。つまり、図５に示されるように、給送部１６は、ベース部７０の後上部７４の下部に支持されている。
【００５３】
図３及び図６に示されるように、ベース部７０の後上部７４の後面は、湾曲されている。そして、この湾曲されている後面は、上述した内側ガイド部１９を構成している。つまり、内側ガイド部１９は、ベース部７０の後上部７４と一体成形されている。
【００５４】
図示されていないが、ベース部７０の右側部７２の後下端部と、ベース部７０の左側部７３の後下端部とには、上述した外側ガイド部１８の軸４８が挿通される孔が形成されている。そして、上述した外側ガイド部１８の軸４８が当該孔に挿通されることにより、ベース部７０の右側部７２及び左側部７３は、外側ガイド部１８を回動可能に支持する。
【００５５】
［サイドフレーム５５］
図３及び図６に示されるように、一対のサイドフレーム５５は、ベース部７０の上部に配置されている。詳細には、一対のサイドフレーム５５は、後上部７４の右端部及び左端部の上面に、左右方向９において互いに対向して取り付けられている。サイドフレーム５５は金属製である。また、サイドフレーム５５は、概ね９０度に屈曲した板状の部材である。つまり、サイドフレーム５５は、後上部７４に取り付けられた状態において、前後方向８及び左右方向９に拡がる板状の底部７７と、底部７７から上向きに立設されており上下方向７及び前後方向８に拡がる板状の側部７８とを備えている。
【００５６】
底部７７には、上下方向７に開口された孔７９が形成されている。また、サイドフレーム５５がベース部７０の後上部７４に取り付けられた状態において、後上部７４における底部７７の孔７９と対応する位置にも、上下方向７に開口された孔８８が形成されている。そして、底部７７の孔７９と後上部７４の孔８８とにビス（不図示）が上下方向７に沿って挿入されることによって、サイドフレーム５５は、ベース部７０の後上部７４に固定される。つまり、ベース部７０及びサイドフレーム５５は、底部７７の孔７９と後上部７４の孔８８とビスとによって上下方向７に締結されている。以上より、底部７７の孔７９、後上部７４の孔８８、及びビスは、本発明の締結部の一例である。
【００５７】
図３及び図８に示されるように、一対のサイドフレーム５５の各々には、切り欠き５１が形成されている。切り欠き５１は、サイドフレーム５５の後部において、サイドフレーム５５の上端から下向きに円弧状に切り欠かれている。切り欠き５１には、軸受（不図示）が嵌め込まれる。当該軸受には、搬送ローラ６０が挿通されている。なお、図８では、軸受の図示が省略されている。以上より、一対のサイドフレーム５５は、搬送ローラ６０を支持する。ここで、上述したように、一対のサイドフレーム５５は、ベース部７０の上部に配置されている。つまり、搬送ローラ６０は、一対のサイドフレーム５５を介してベース部７０の上部に支持されている。
【００５８】
また、図３及び図８に示されるように、一対のサイドフレーム５５の各々には、切り欠き５２が形成されている。切り欠き５２は、サイドフレーム５５の前部に形成された開口である。切り欠き５２には、軸受８９（図８参照）が嵌め込まれる。当該軸受８９には、排出ローラ６２が挿通されている。以上より、一対のサイドフレーム５５は、排出ローラ６２を支持する。
【００５９】
また、図６及び図７に示されるように、ガイドレール５６、５７は、一対のサイドフレーム５５によって支持されている。以下に詳述する。図３に示されるように、一対のサイドフレーム５５には、上端部から上向きに突出した突部４９、５０が形成されている。突部４９は、サイドフレーム５５の後部に形成されている。突部５０は、サイドフレーム５５の前部に形成されている。一方、ガイドレール５６には、突部４９に対応した大きさの開口が形成されており、当該開口にサイドフレーム５５の突部４９が係合される。これにより、ガイドレール５６は、サイドフレーム５５によって支持される。また、ガイドレール５７には、突部５０に対応した大きさの開口が形成されており、当該開口にサイドフレーム５５の突部５０が係合される。これにより、ガイドレール５７は、ガイドレール５６よりも前側においてガイドレール５６と前後方向８に間隔を空けた状態で、サイドフレーム５５によって支持される。
【００６０】
［伝達部９０］
プリンタ部１１には、図１０に示されるような伝達部９０が配置されている。伝達部９０は、以下に詳述するように、搬送用モータ５３（図６参照）の正転または逆転の一方（本実施形態では正転）の駆動力を、搬送路６５の湾曲部３３を案内されてきた記録用紙１２を搬送向き１５に搬送する駆動力として搬送ローラ６０に伝達し、搬送用モータ５３の正転または逆転の他方（本実施形態では逆転）の駆動力を、給送トレイ２０に支持された記録用紙１２を搬送路６５の湾曲部３３へ給送する駆動力として給送ローラ２５に伝達するものである。
【００６１】
図１０に示されるように、伝達部９０は、第１ギヤ列９１及び第２ギヤ列９２を備えている。
【００６２】
第１ギヤ列９１は、図４及び図６に示される空間９４に配置されたメンテナンスベース９５に設けられている。なお、図４及び図６では、メンテナンスベース９５の図示は、省略されている。ここで、空間９４は、ベース部７０の右側部７２における記録ヘッド３８と対向可能な位置に形成されている。また、図１０に示されるように、メンテナンスベース９５は、概ね箱形状の部材であり、内部にメンテナンスユニット（不図示）が配置される。メンテナンスユニットは、記録ヘッド３８のノズル３９内のインクの乾燥を防止したり、ノズル３９から気泡や異物を吸引除去するものであるが、ここではその詳細な説明は省略される。
【００６３】
図１０に示されるように、第１ギヤ列９１は、メンテナンスベース９５の左面に形成された複数の軸９６の各々に挿通された複数のギヤ９７と、給送部１６の支軸２８の右端部に形成されたギヤ９８と、内部に公知のワンウェイクラッチ（不図示）を有する伝達切替ギヤ４５と、を備えている。各ギヤ９７、９８、４５は、互いに噛合されたギヤ列を構成している。伝達切替ギヤ４５には、搬送ローラ６０からギヤ３７を介して駆動力が伝達される。なお、伝達切替ギヤ４５の詳細については、後述する。
【００６４】
第２ギヤ列９２は、給送部１６の給送アーム２６に回転可能に支持された複数のギヤ９９で構成されている。各ギヤ９９は、互いに噛合されたギヤ列を構成している。複数のギヤ９９のうち最も前上側のギヤ９９は、給送部１６の支軸２８に形成されている。つまり、最も前上側のギヤ９９は、第１ギヤ列９１のギヤ９８と一体に回転する。複数のギヤ９９のうち最も後下側のギヤ９９は、給送ローラ２５と同軸に形成されている。
【００６５】
以上より、伝達部９０は、第１ギヤ列９１及び第２ギヤ列９２を介して、搬送ローラ６０から伝達された駆動力を給送ローラ２５へ伝達する。
【００６６】
伝達切替ギヤ４５は、第１ギヤ４６と第２ギヤ４７とを備えている。第１ギヤ４６と第２ギヤ４７とは、上記のワンウェイクラッチを介して連結されている。ここで、第１ギヤ４６は、後述する駆動ギヤ４３とギヤ３７を介して噛合しており、第２ギヤ４７は、ギヤ９７と噛合している。
【００６７】
図９に示されるように、搬送ローラ６０は、メンテナンスベース９５に形成された凹部１００を介して、メンテナンスベース９５の内部にまで延設されている。また、搬送ローラ６０の右端部には、駆動ギヤ４３が形成されている。駆動ギヤ４３は、図１０に示されるギヤ３７と噛合している。そして、伝達切替ギヤ４５の第１ギヤ４６は、ギヤ３７と噛合している。つまり、伝達切替ギヤ４５は、搬送用モータ５３から搬送ローラ６０及びギヤ３７を介して駆動力を付与されて回転する。
【００６８】
上述したように、伝達切替ギヤ４５は、ワンウェイクラッチを有している。ワンウェイクラッチは、搬送用モータ５３の逆転の駆動力によって回転する第１ギヤ４６の駆動力を第２ギヤ４７へ伝達する一方、搬送用モータ５３の正転の駆動力によって回転する第１ギヤ４６の駆動力を第２ギヤ４７へ伝達しない。
【００６９】
以上より、搬送用モータ５３が逆転したとき、給送ローラ２５には、搬送用モータ５３から搬送ローラ６０、ギヤ３７、及び伝達部９０を介して駆動力が伝達される。これにより、給送ローラ２５は回転して記録用紙１２を湾曲部３３へ給送する。一方、搬送用モータ５３が正転したとき、第１ギヤ４６の駆動力が第２ギヤ４７へ伝達されないため、給送ローラ２５は回転しない。一方、上述したように、搬送ローラ６０は、搬送用モータ５３が逆転したときに記録用紙１２を搬送向き１５とは逆向きに搬送する回転向きに回転し、搬送用モータ５３が正転したときに記録用紙１２を搬送向き１５に搬送する回転向きに回転する。
【００７０】
給送ローラ２５によって給送トレイ２０に支持された記録用紙１２を給送する際、搬送用モータ５３を逆転させておき、給送された記録用紙１２が搬送ローラ６０へ到達した際、搬送用モータ５３を逆転から正転へ切り替えることにより、搬送ローラ６０による搬送と給送ローラ２５による給送とが、同一の記録用紙１２に対して同時に実行されることが防止される。
【００７１】
なお、伝達部９０が、搬送用モータ５３の正転または逆転の一方の駆動力を、搬送路６５の湾曲部３３を案内されてきた記録用紙１２を搬送向き１５に搬送する駆動力として搬送ローラ６０に伝達し、搬送用モータ５３の正転または逆転の他方の駆動力を、給送トレイ２０に支持された記録用紙１２を搬送路６５の湾曲部３３へ給送する駆動力として給送ローラ２５に伝達することができるのであれば、伝達部９０の具体的な構成は、以上説明した構成に限らない。
【００７２】
［実施形態の効果］
本実施形態によれば、ベース部７０は樹脂で構成されている。そのため、複合機１０のコストのアップを低減することができる。
【００７３】
また、本実施形態によれば、ベース部７０が内側ガイド部１９を構成している。つまり、内側ガイド部１９は、ベース部７０と一体成形されている。そのため、湾曲部３３を搬送される記録用紙１２の搬送向き１５の先端部が搬送ローラ６０に到達し、記録用紙１２の搬送向き１５の後端部が給送ローラ２５に当接された状態において、記録用紙１２が搬送ローラ６０によって搬送向き１５に引っ張られて、記録用紙１２が内側ガイド部１９に押しつけられた場合でも、内側ガイド部１９のがたつきを最小限に抑えることができる。
【００７４】
また、内側ガイド部１９を構成しているベース部７０には、給送部１６が支持されている。そのため、内側ガイド部１９ががたついたとしても、内側ガイド部１９と給送ローラ２５との相対距離のずれを、内側ガイド部１９と給送ローラ２５との寸法公差以内に抑えることができる。つまり、記録用紙１２が搬送される湾曲部３３の湾曲内側を形成する内側ガイド部１９と、当該湾曲部３３へ記録用紙１２を給送する給送ローラ２５との位置ずれを低減することができる。
【００７５】
以上より、本実施形態によれば、ベース部７０を樹脂製にすることで複合機１０のコストを低く抑えつつも、内側ガイド部１９によって形成される湾曲部３３を搬送される記録用紙１２の搬送精度を良好に維持することができる。
【００７６】
また、本実施形態によれば、搬送ローラ６０は金属製のサイドフレーム５５に取り付けられているため、搬送ローラ６０の位置精度を良好に維持することができる。
【００７７】
その一方で、搬送ローラ６０がサイドフレーム５５に取り付けられているために、湾曲部３３を搬送される記録用紙１２の搬送向き１５の先端部が搬送ローラ６０に到達し且つ記録用紙１２の搬送向き１５の後端部が給送ローラ２５に当接された状態において、記録用紙１２が、搬送ローラ６０によって搬送向き１５に引っ張られることによって、内側ガイド部１９及び給送ローラ２５に対して相対的に上下方向７に移動してしまう可能性がある。しかし、本実施形態においては、ベース部７０及びサイドフレーム５５が上下方向７にビスによって締結されているために、記録用紙１２の上下方向７への移動の可能性を低くすることができる。
【００７８】
また、本実施形態によれば、排出ローラ６２が金属製のサイドフレーム５５に支持され且つ記録部２４がガイドレール５６、５７を介して金属製のサイドフレーム５５に支持されているため、排出ローラ６２及び記録部２４の位置精度を良好に維持することができる。その結果、排出ローラ６２によって搬送される記録用紙１２の搬送精度や、記録部２４によって記録用紙１２に記録される画質を良好に維持することができる。
【００７９】
また、本実施形態によれば、搬送ローラ６０が湾曲部３３を案内されてきた記録用紙１２を搬送している際に、給送ローラ２５は給送トレイ２０に支持された記録用紙１２を湾曲部３３へ給送しない。そのため、湾曲部３３を案内される記録用紙１２の搬送向き１５の先端部が搬送ローラ６０に到達し且つ記録用紙１２の搬送向き１５の後端部が給送ローラ２５と当接された状態において、記録用紙１２が搬送ローラ６０によって搬送向き１５に引っ張られる状況が生じやすい。つまり、本実施形態は、本発明を実現するための好適な構成である。また、本実施形態によれば、搬送ローラ６０と給送部１６とを共通の搬送用モータ５３で駆動することができるため、複合機１０のコストを下げることができる。
【００８０】
また、本実施形態によれば、記録用紙１２が搬送ローラ６０によって搬送向き１５に引っ張られて内側ガイド部１９に貼り付く状況が生じた場合でも、当該記録用紙１２は、突出が小さい内側ガイド部１９の左右方向９の外側において貼り付きにくい。つまり、記録用紙１２が内側ガイド部１９へ貼り付く領域を小さくすることができる。その結果、内側ガイド部１９のがたつきを低減することができる。
【００８１】
また、本実施形態によれば、外側ガイド部１８の少なくとも一部がベース部７０によって支持されているため、外側ガイド部１８を位置決めすることができる。
【符号の説明】
【００８２】
１０・・・複合機
１２・・・記録用紙
１６・・・給送部
１９・・・内側ガイド部
２０・・・給送トレイ
２５・・・給送ローラ
３３・・・湾曲部
６０・・・搬送ローラ
７０・・・ベース部
【図１】
2014156328.tif 000003
【図２】
2014156328.tif 000004
【図３】
2014156328.tif 000005
【図４】
2014156328.tif 000006
【図５】
2014156328.tif 000007
【図６】
2014156328.tif 000008
【図７】
2014156328.tif 000009
【図８】
2014156328.tif 000010
【図９】
2014156328.tif 000011
【図１０】
2014156328.tif 000012